(57)【要約】【課題】ロック解除を行うための押しボタンの押圧方向とカバーの開く方向とが略直交していたとしても、押しボタンを押しながらカバーを開く方向に力を加えやすくし、カバーを開く操作を行いやすくした携帯機器を提供する。【解決手段】ロック解除ボタン７３を押しながらカバー７をスライドさせることによりコネクタを開放可能な携帯機器であって、カバー７は、ロック解除ボタン７３が指で押された際に、その指を係止し、カバー７をスライドさせる向きの押圧力を加えることが可能な第２のリブ７２を備えたものである。【選択図】図２Ａ
2009295348.tif 000002
【特許請求の範囲】
【請求項１】
コネクタを開閉可能なカバーと、
前記コネクタを封鎖している状態で前記カバーを保持するロック機構と、
前記ロック機構による前記カバーの保持状態を解除する操作が可能なロック解除ボタンとを備え、
前記ロック解除ボタンを押しながら前記カバーをスライドさせることにより前記コネクタを開放可能な携帯機器であって、
前記カバーは、前記ロック解除ボタンが指で押された際に、その指を係止し、当該カバーをスライドさせる向きの押圧力を加えることが可能なリブを備えた、携帯機器。
【請求項２】
前記リブは、前記ロック解除ボタンに対して、前記カバーをスライドさせる向きに隣接した位置に設けられた、請求項１記載の携帯機器。
【請求項３】
前記ロック解除ボタンに対して、前記カバーをスライドさせる向きに隣接した位置に空間を備え、
前記リブは、前記空間に対して、前記カバーをスライド可能な方向に直交する方向に隣接した位置に設けられた、請求項１または２に記載の携帯機器。
【請求項４】
前記リブは、
前記カバーをスライドさせる向きに直交する方向の長さ寸法が、前記ロック解除ボタンの幅寸法よりも長い、請求項１または２に記載の携帯機器。
【発明の詳細な説明】
【技術分野】
【０００１】
本発明は、携帯型テレビジョン受像機などの携帯機器に関する。
【背景技術】
【０００２】
携帯型テレビジョン受像機や携帯電話端末などの携帯機器は、従来からヘッドホンを接続可能な音声出力端子やＡＣアダプターを接続可能な電源端子を備えているが、最近ではパーソナルコンピューターに接続可能なＵＳＢ端子（USB:Universal Serial Bus）などのデータ入出力端子を備えていることが多い。また、受信した放送波を復調することで得られた映像及び音声をメモリーカードなどの記録媒体に保存するために、メモリーカードスロットが搭載されている機種も増えてきた。このような端子やメモリーカードスロットは、埃や水分などの異物が付着すると、データの入出力やメモリーカードへのデータ読み書きができなくなることがある。したがって、端子やメモリーカードスロットは、異物が付着するのを防ぐために、開閉蓋で封鎖可能となっていることが多い。
【０００３】
特許文献１には、電子機器の筐体の筐状カバーの構成が開示されている。また、特許文献１に開示されている筐状カバーは、押しボタンを操作することで、封鎖状態をロックしている機構を解除することができる。また、特許文献１に開示されている筐状カバーは、ロック解除を行うための押しボタンの押圧方向とカバーが開く方向とが略直交しているため、電子機器を鞄などに収納している状態において押しボタンが誤って押されたとしても、カバーが開く可能性が低い。
【特許文献１】実開昭５８−１８７１８２号公報
【発明の開示】
【発明が解決しようとする課題】
【０００４】
しかしながら特許文献１に開示されている構成では、押しボタンの押圧方向とカバーの開く方向とが略直交しているため、使用者がカバーを開く際、押しボタンを押圧してロックを解除しながらカバーを開く方向へ力を加えることが困難であり、カバーを開く操作が行いにくいという問題がある。
【０００５】
本発明の目的は、ロック解除を行うための押しボタンの押圧方向とカバーの開く方向とが略直交していたとしても、押しボタンを押しながらカバーを開く方向に力を加えやすくし、カバーを開く操作を行いやすくした携帯機器を提供することである。
【課題を解決するための手段】
【０００６】
本発明の携帯機器は、コネクタを開閉可能なカバーと、前記コネクタを封鎖している状態で前記カバーを保持するロック機構と、前記ロック機構による前記カバーの保持状態を解除する操作が可能なロック解除ボタンとを備え、前記ロック解除ボタンを押しながら前記カバーをスライドさせることにより前記コネクタを開放可能な携帯機器であって、前記カバーは、前記ロック解除ボタンが指で押された際に、その指を係止し、当該カバーをスライドさせる向きの押圧力を加えることが可能なリブを備えたものである。
【発明の効果】
【０００７】
本発明によれば、ロック解除を行うための押しボタンの押圧方向とカバーの開く方向とが略直交していたとしても、押しボタンを押しながらカバーを開く方向に力を加えやすくし、カバーを開く操作を行いやすくした。
【発明を実施するための最良の形態】
【０００８】
本発明の携帯機器は、上記構成を基本として、以下のような態様をとることができる。
【０００９】
すなわち、本発明の携帯機器において、前記リブは、前記ロック解除ボタンに対して、前記カバーをスライドさせる向きに隣接した位置に設けられた構成とすることができる。このような構成とすることで、ロック解除ボタンが不意に押圧操作されることを防止することができる。
【００１０】
また、本発明の携帯機器において、前記ロック解除ボタンに対して、前記カバーをスライドさせる向きに隣接した位置に空間を備え、前記リブは、前記空間に対して、前記カバーをスライド可能な方向に直交する方向に隣接した位置に設けられた構成とすることができる。このような構成とすることで、指でロック解除ボタンを押圧操作した状態で、リブに指を引っ掛けやすくなり、カバーを開く際の操作性を向上することができる。
【００１１】
また、本発明の携帯機器において、前記リブは、前記カバーをスライドさせる向きに直交する方向の長さ寸法が、前記ロック解除ボタンの幅寸法よりも長い構成とすることができる。このような構成とすることで、指でロック解除ボタンを押圧操作した状態で、リブに指を引っ掛けやすくなり、カバーを開く際の操作性を向上することができる。
【００１２】
（実施の形態）
図１Ａは、本実施の形態の携帯機器の一例である携帯型テレビジョン受像機（以下、携帯テレビと称する）の前面側の斜視図である。図１Ｂは、本実施の形態の携帯テレビの背面側の斜視図である。なお、本実施の形態では、携帯機器の一例として携帯テレビを挙げているが、少なくとも入出力端子やスロットを開閉可能なカバーを備えた機器であればよく、例えば携帯電話端末や携帯型ゲーム機などがある。
【００１３】
図１Ａに示すように、携帯テレビは、薄型の筐体１の前面に液晶ディスプレイ２を備えている。液晶ディスプレイ２は、受信した放送波を復調して得られた映像をカラー表示することができるディスプレイであり、本実施の形態では画面サイズを５インチとした。また、筐体１の上面には、携帯テレビの電源のオン／オフを切り換え操作可能な電源スイッチ３ａ、受信チャンネルを切り換え操作可能なチャンネル切り換えスイッチ３ｂ、音声の音量を調節可能な音量調節スイッチ３ｃを備えている。また、筐体１の右側面には、記録媒体であるメモリーカードを着脱可能なメモリーカードスロット（不図示）と、メモリーカードスロットを開閉可能な第１のカバー部材６とを備えている。また、図１Ｂに示すように、筐体１の背面には、電池を収容可能な電池収納部と、電池収納部を封鎖する開閉蓋４と、筐体１を起立させることが可能なスタンド部材５と、アンテナ８とを備えている、また、筐体１の左側面には、入出力端子（不図示）と、入出力端子を開閉可能な第２のカバー部材７とを備えている。本実施の形態は、第１のカバー部材６及び第２のカバー部材７の構造に特徴がある。第１のカバー部材６と第２のカバー部材７とは、基本構成は同じであるため、以下第２のカバー部材７の構成について説明し、第１のカバー部材６の説明については省略する。
【００１４】
図２Ａは、第２のカバー部材７の表面側の構成を示す斜視図である。図２Ｂは、第２のカバー部材７の裏面側の構成を示す斜視図である。図２Ａに示すように、第２のカバー部材７は、使用者による開蓋動作時に使用者の指が位置する上面７６に第１のリブ７１と第２のリブ７２とが形成されている。
【００１５】
第１のリブ７１は、第２のカバー部材７が入出力端子を封鎖する位置（以下、封鎖位置と称する）にある時に、筐体１側の位置に形成されている。また、第１のリブ７１は、第２のカバー部材７のスライド可能方向（開閉方向）に対して略直交する方向に長辺を有するように形成されている。また、第１のリブ７１は、上面７６からの高さ寸法を、少なくともロック解除ボタン７３の最大高さ寸法（押圧操作されていない時の高さ）よりも高くしていることにより、不意にロック解除ボタン７３を押圧操作してしまう誤操作を無くすことができる。
【００１６】
第２のリブ７２は、第１のリブ７１の長辺に対して略平行に形成されている。また、第２のリブ７２は、第１のリブ７１との間に少なくともロック解除ボタン７３を配置可能な空隙を有する。また、第２のリブ７２は、その頂部がロック解除ボタン７３の頂部（未操作時）よりも僅かに低くしていることにより、第２のリブ７２に使用者が指を引っ掛けて第２のカバー部材７を開く際に、指がロック解除ボタン７３を押圧操作しやすい。ただし、第２のリブ７２の高さを低くしすぎると、ロック解除ボタン７３が誤操作される可能性が高くなるので、第２のリブ７２の頂部に対してロック解除ボタン７３の先端が僅かに突出する程度の高さにすることが好ましい。また、第２のリブ７２は、ロック解除ボタン７３に隣接する第１のリブ部７２ａと、第１のリブ７１に対して空隙を挟んで対向配置した第２のリブ部７２ｂとから構成されている。
【００１７】
ロック解除ボタン７３は、第１のリブ７１と第２のリブとの間に配され、矢印Ａに示す向きに押圧操作が可能である。ロック解除ボタン７３を矢印Ａに示す向きへ押圧操作することで、筐体１に対する第２のカバー部材７の封鎖位置でのロック状態を解除することができる。また、ロック解除ボタン７３は、後述するねじりコイルバネにより常に第２のカバー部材７を封鎖位置でロックする状態に付勢されている。なお、第２のカバー部材７の詳しい内部構造及び動作については後述する。
【００１８】
図２Ｂに示すように、ロック爪部７４は、第２のカバー部材７の下面７７において、ロック解除ボタン７３の押圧操作に連動して進退するように配されている。また、ロック爪部７４は、筐体１に形成されているロック凹部１１（後述）に係合可能であり、ロック爪部７４がロック凹部１１に係合することで第２のカバー部材７が筐体１に対して封鎖位置で保持される。
【００１９】
第２のカバー部材７の背面７５は、第２のカバー部材７が封鎖位置に位置している時に、筐体１に配された入出力端子に対向し、封鎖する面である。背面７５には、入出力端子に埃や水分などの異物が侵入するのを防ぐために、ゴムなどの弾性部材で形成されたパッキン（後述）が配されている。
【００２０】
図３は、本実施の形態の携帯テレビの背面側の筐体の構成を示す斜視図である。なお、図３において、本実施の形態における説明で不要な構成については図示を省略している。筐体１において、第２のカバー部材７が配される箇所には、第２のカバー部材７に配されたロック爪部７４が係合可能なロック凹部１１と、入出力端子の一例であるヘッドホン接続端子１２ａ、ＵＳＢ端子１２ｂ、アンテナケーブル接続端子１２ｃとを備えている。第２のカバー部材７は、筐体１に対して可撓性を有するリブ（不図示）で保持されており、ヘッドホン接続端子１２ａ、ＵＳＢ端子１２ｂ、アンテナケーブル接続端子１２ｃを開放した状態にしたとしても筐体１から脱落しないように構成されている。なお、第２のカバー部材７は、筐体１に対して分離可能な構成としてもよい。
【００２１】
図４Ａ及び図４Ｂは、第２のカバー部材７が入出力端子を封鎖している封鎖位置にある状態を示す。図４Ａは、図１ＢにおけるＺ−Ｚ部の断面図である。図４Ｂは、図４ＡにおけるＹ−Ｙ部の断面図である。
【００２２】
まず、第２のカバー部材７の内部構造について説明する。第２のカバー部材７は、上面７６側が上面カバー８２で覆われ、下面７７側が下面カバー８３で覆われている。
【００２３】
押しボタン部材８６は、押圧部８６ａが上面カバー８２に形成された孔部８２ａを通じて進退可能で、係合部８６ｂが下面カバー８３に形成された孔部８３ａを通じて進退可能なように、第２のカバー部材７内に支持されている。また、押しボタン部材８６は、押圧部８６ａと係合部８６ｂとの間に略円形の孔部８６ｃが形成されている。孔部８６ｃには、上面カバー８２に形成された支軸８１が遊嵌している。これにより、押しボタン部材８６は、支軸８１に対して矢印ＢまたはＣに示す向きに回動自在に支持されている。なお、押圧部８６ａは、図２Ａにおけるロック解除ボタン７３に相当する。また、係合部８６ｂは。図２Ｂにおけるロック爪部７４に相当する。
【００２４】
ねじりコイルバネ８５は、上面カバー８２に形成された支軸８４に支持されている。また、ねじりコイルバネ８５の線材の一方の端部は押しボタン部材８６に支持され、他方の端部は下面カバー８３に支持されている。また、ねじりコイルバネ８５は、押しボタン部材８６を常に矢印Ｂに示す向きに付勢している。すなわち、ねじりコイルバネ８５は、図４Ａ及び図４Ｂに示すように、押圧部８６ａが上面カバー８２の孔部８２ａから突出し、係合部８６ｂが下面カバー８３の孔部８３ａから突出する状態を保持するよう、第２のカバー部材７を付勢している。なお、図面を明瞭に記載するために、図５Ａ及び図６Ａにおいてねじりコイルバネ８５の描画を省略した。
【００２５】
図４Ｂに示すように、上面カバー８２の背面（入出力端子に対向する面）には、入出力端子が配される開口部１３を覆うようにパッキン８７が配されている。
【００２６】
次に、第２のカバー部材７の開閉動作について説明する。
【００２７】
図４Ａ及び図４Ｂは、第２のカバー部材７が封鎖位置にある状態である。図４及び図４Ｂに示す状態から使用者により押しボタン部材８６の押圧部８６ａが矢印Ｄに示す向きへ押圧されると、押しボタン部材８６は支軸８１を軸に矢印Ｃに示す向きへ回動する。この時、押しボタン部材８６は、ねじりコイルバネ８５の付勢力に抗して回動する。
【００２８】
図５Ａ及び図５Ｂは、使用者の親指１００により押圧部８６ａが矢印Ｄに示す向きへ押圧された状態を示す。図５Ａ及び図５Ｂに示すように、親指１００により押しボタン部材８６が矢印Ｄに示す向きに押圧されると、係合部８６ｂは、ロック凹部１１から離脱し、下面カバー８３の内側に退避する。これにより、第２のカバー部材７の筐体１に対するロック状態が解除される。
【００２９】
次に、使用者は、図５Ａ及び図５Ｂに示す状態において親指１００で押圧部８６ａを押圧したまま、親指１００を矢印Ｅに示す向きへ移動させる。この時、押圧部８６ａは、その頂部が第２のリブ７２の頂部よりも低くなる位置まで押圧されているため、親指１００を第２のリブ７２に掛けることができる。よって、親指１００を矢印Ｅに示す向きへ移動させることで、第２のリブ７２に矢印Ｅに示す向きの力を加えることができる。
【００３０】
図６Ａ及び図６Ｂは、親指１００で第２のカバー部材７を矢印Ｅに示す向きへ移動させ、筐体１から離間させた状態を示す。図５Ａ及び図５Ｂに示す状態から親指１００で第２のリブ７２に矢印Ｅに示す向きの力を加えると、図６Ａ及び図６Ｂに示すようにパッキン８７と筐体１との係合が外れ、第２のカバー部材７は筐体１から離間する。これにより、開口部１３に配された入出力端子を開放することができる。
【００３１】
なお、図示は省略しているが、第２のカバー部７は、エラストマーなどの弾性樹脂により筐体１に保持されており、図６Ｂに示すように筐体１から離間したとしても脱落することはない。
【００３２】
次に、図６Ａ及び図６Ｂに示す状態から第２のカバー部材７を筐体１に装着する場合は、押圧部８６ａを押圧操作せずに第２のカバー部材７を矢印Ｆに示す向きへ移動させる。次に、パッキン８７を筐体１に形成された凹部１４に嵌合させる。なお、図６Ａ及び図６Ｂに示す状態から矢印Ｆに示す向きに移動を始めると、押圧部８６ａが押圧操作されていない場合は、例えば図４Ｂに示すように係合部８６ｂが下面カバー８３に形成された孔部８３ａを通じて外部（図中下向き）に突出するため、係合部８６ｂが筐体１に衝突する。本実施の形態では、係合部８６ｂに傾斜部８６ｄが形成されているため、係合部８６ｂが筐体１に衝突したとしても、第２のカバー部材７が矢印Ｆに示す向きに移動されるのに伴い、傾斜部８６ｄが筐体１上をスライドして係合部８６ｂが矢印Ｇに示す向きに移動される。すなわち、押しボタン部材８６が図６Ａに示す矢印Ｃに示す向きに回動する。また、押しボタン部材８６は、図６Ａ及び図６Ｂに示す状態から図５Ａ及び図５Ｂに示す状態までの移行期間において、係合部８６ｂが筐体１に当接しているため、矢印Ｄに示す向きへの移動が規制されている。
【００３３】
次に、第２のカバー部材７をさらに矢印Ｆに示す向きに移動させ、係合部８６ｂがロック凹部１１の上部まで移動すると、係合部８６ｂの矢印Ｄに示す向きへの規制が解除されるため、押しボタン部材８６は、ねじりコイルバネ８５の付勢力により矢印Ｂに示す向きに回動し、係合部８６ｂが下面カバー８３の孔部８３ａを介して突出する。係合部８６ｂは、さらにロック凹部１１に係合する。これにより、第２のカバー部材７は、入出力端子を封鎖した状態で筐体１に保持される。
【００３４】
本実施の形態によれば、ロック解除ボタン７３における第２のカバー部材７を離脱向き側に第２のリブ７２を形成したことにより、ロック解除ボタン７３の押圧操作方向（ロック解除方向）と第２のカバー部材７の離脱方向とが略直交している構成において、ロック解除ボタン７３を押圧操作した際に指を第２のリブ７２に掛けることができるので、ロック解除ボタン７３を押圧操作しながら第２のカバー部材７を離脱方向へ容易に移動させることができる。
【００３５】
また、第２のリブ７２は、その長手方向の長さがロック解除ボタン７３よりも長くした（すなわち、第２のリブ７２は、ロック解除ボタン７３に隣接した第１のリブ部７２ａと、第１のリブ７１に空隙を挟んで対向した第２のリブ部７２ｂとから構成されている）ことにより、第２のカバー部材７を開く際に指に当接する領域を広くすることができ、第２のカバー部７を開く際の操作性を向上させることができる。また、指におけるロック解除ボタン７３を押圧操作する位置と第２のリブ７２を開蓋方向へ押圧する位置とを離すことができるので、第２のカバー部材７を開く際の操作性を向上させることができる。
【００３６】
また、ロック解除ボタン７３の押圧操作方向（ロック解除方向）と第２のカバー部材７の離脱方向とが略直交しているため、第２のカバー部材７に対して離脱方向の力がかかったとしても、第２のカバー部材７が筐体１にロックされているため、誤って入出力端子が開放されてしまうことがない。
【００３７】
なお、本実施の形態では、第２のカバー部材７における第２のリブ７２とロック解除ボタン７３の配置を、図７Ａ（第２のカバー部材７の平面図）に示すように、第２のカバー部材７のスライド可能方向（図中の左右方向）に隣接した位置に形成し、さらに第２のリブ７２の長手方向の寸法Ｌ２をロック解除ボタン７３の幅寸法Ｌ１よりも長くしたことで、ロック解除ボタン７３を押圧操作した状態で第２のリブ７２に指を掛けやすくなり、第２のカバー部材７を開く際の操作性を向上させている。図７Ａに示す構成の他、図７Ｂに示すように、第２のカバー部材７の幅寸法Ｌ３をロック解除ボタン７３の幅寸法Ｌ１と同等とし、さらに第２のカバー部材７をロック解除ボタン７３に隣接した位置に形成した構成とすることもできる。このような構成とすることで、第２のリブ７２に指を掛けて第２のカバー部材７を開く方向にスライド操作することができるとともに、ロック解除ボタン７３が不意に誤操作されてしまうのを防ぐことができる。
【００３８】
また、図７Ｃに示すように、ロック解除ボタン７３に対して第２のカバー部材７を開く向きに隣接した位置にリブを備えない空間７８を備え、空間７８に対して第２のカバー部材７のスライド可能方向に直交する方向に隣接した位置に第２のリブ７２を備えた構成とすることもできる。このような構成とすることで、第２のリブ７２に指を掛けやすくなり、第２のカバー部材７を開く際の操作性を向上することができる。
【００３９】
また、携帯機器の一例として携帯型テレビジョン受像機を挙げたが、携帯電話端末、携帯ゲーム機、携帯型医療機器など、少なくとも機器に対して着脱可能な電池で駆動する機器であれば本実施の形態は有効である。
【００４０】
また、本実施の形態における第１のカバー部材６及び第２のカバー部材７は、本発明のカバーの一例である。また、本実施の形態におけるロック爪部７４、ロック凹部１１、押しボタン部材８６における係合部８６ｂは、本発明のロック機構の一例である。また、本実施の形態における押しボタン部材８６における押圧部８６ａは、本発明のロック解除ボタンの一例である。また、本実施の形態における第２のリブ７２は、本発明のリブの一例である。
【産業上の利用可能性】
【００４１】
本発明は、各種入出力端子やメモリーカードスロットなどを開閉可能なカバーを備えた携帯機器に有用である。
【図面の簡単な説明】
【００４２】
【図１Ａ】本実施の形態における携帯機器の外観を示す斜視図
【図１Ｂ】本実施の形態における携帯機器の外観を示す斜視図
【図２Ａ】第２のカバー部材の外観を示す斜視図
【図２Ｂ】第２のカバー部材の外観を示す斜視図
【図３】筐体の斜視図
【図４Ａ】図１ＢにおけるＺ−Ｚ部の断面図
【図４Ｂ】図４ＡにおけるＹ−Ｙ部の断面図
【図５Ａ】図４Ａに示す状態からロック解除ボタンが押圧操作された状態を示す断面図
【図５Ｂ】図４Ｂに示す状態からロック解除ボタンが押圧操作された状態を示す断面図
【図６Ａ】図５Ａに示す状態から第２のカバー部材がスライド操作された状態を示す断面図
【図６Ｂ】図５Ｂに示す状態から第２のカバー部材がスライド操作された状態を示す断面図
【図７Ａ】本実施の形態のカバー部材の平面図
【図７Ｂ】カバー部材の変形例を示す平面図
【図７Ｃ】カバー部材の変形例を示す平面図
【符号の説明】
【００４３】
１  筐体
６  第１のカバー部材
７  第２のカバー部材
７２  第２のリブ
７３  ロック解除ボタン
【図１Ａ】
2009295348.tif 000003
【図１Ｂ】
2009295348.tif 000004
【図２Ａ】
2009295348.tif 000005
【図２Ｂ】
2009295348.tif 000006
【図３】
2009295348.tif 000007
【図４Ａ】
2009295348.tif 000008
【図４Ｂ】
2009295348.tif 000009
【図５Ａ】
2009295348.tif 000010
【図５Ｂ】
2009295348.tif 000011
【図６Ａ】
2009295348.tif 000012
【図６Ｂ】
2009295348.tif 000013
【図７Ａ】
2009295348.tif 000014
【図７Ｂ】
2009295348.tif 000015
【図７Ｃ】
2009295348.tif 000016